(57)【要約】【課題】  遠隔操作対象機器の設定に関係する情報をリモコン手段に集中させて一元管理を可能とした機器の遠隔操作システムを実現する。【解決手段】  遠隔操作対象の機器と、この機器に対する操作表示手段を有するリモコン手段と、前記機器に外部情報を渡して操作する外部センサ手段とよりなる機器の遠隔操作システムにおいて、  前記リモコン手段は、前記外部センサ手段と通信して前記外部情報を取得する外部センサインターフェース手段を備える。【選択図】                    図１
2006121254.tif 000002
【特許請求の範囲】
【請求項１】
遠隔操作対象の機器と、この機器に対する操作表示手段を有するリモコン手段と、前記機器に外部情報を渡して操作する外部センサ手段とよりなる機器の遠隔操作システムにおいて、
前記リモコン手段は、前記外部センサ手段と通信して前記外部情報を取得する外部センサインターフェース手段を備えたことを特徴とする機器の遠隔操作システム。
【請求項２】
前記リモコン手段は、前記操作表示手段による設定値情報と前記外部センサインターフェース手段からの操作情報を統合する統合制御手段を備えたことを特徴とする請求項１記載の機器の遠隔操作システム。
【請求項３】
前記統合制御手段は、前記操作表示手段による設定値情報を前記外部センサインターフェース手段からの操作情報により変更補正することを特徴とする請求項２に記載の機器の遠隔操作システム。    
【請求項４】
前記統合制御手段は、前記外部センサインターフェース手段を介して前記操作表示手段による設定値情報を前記外部センサ手段に送信することを特徴とする請求項２又は３に記載の機器の遠隔操作システム。
【請求項５】
前記統合制御手段は、前記外部センサインターフェース手段からの操作情報が特定状態に達した場合には、それ以降、その状態に留まる期間は、前記操作表示手段による設定値情報とは無関係に前記操作情報に基づいて前記機器の遠隔操作を実行し、前記特定状態を抜け出した時には前記操作表示手段による設定値情報に戻すことを特徴とする請求項２乃至４のいずれかに記載の機器の遠隔操作システム。
【請求項６】
前記統合制御手段は、前記外部センサインターフェース手段からの操作情報が特定状態に達した場合には、それ以降、その状態に留まる期間は、前記操作表示手段による設定値情報と所定の関数関係を有する設定値情報に基づいて前記機器の遠隔操作を実行し、前記特定状態を抜け出した時には前記操作表示手段による設定値情報に戻すことを特徴とする請求項２乃至４のいずれかに記載の機器の遠隔操作システム。
【請求項７】
前記外部センサ手段は、前記機器が設置されている環境情報又は前記機器を使用するクライアントの生体情報の少なくともいずれかを検出することを特徴とする請求項１乃至６のいずれかに記載の機器の遠隔操作システム。
【請求項８】
前記外部センサインターフェース手段は、前記生体情報に基づいて前記クライアントの睡眠状態を推定する睡眠状態検出手段を備えることを特徴とする請求項７に記載の機器の遠隔操作システム。
【請求項９】
前記統合制御手段は、前記外部センサ手段より前記生体情報を受信した場合には、それ以降、その状態に留まる期間は、前記操作表示手段による設定値情報とは無関係に前記睡眠状態検出手段からの操作情報に基づいて前記機器の遠隔操作を実行し、前記クライアントが目覚めた時又は前記生体情報が受信できなくなった時には、前記操作表示手段による設定値情報に戻すことを特徴とする請求項７又は８に記載の機器の遠隔操作システム。
【請求項１０】
前記統合制御手段は、前記外部センサ手段より前記生体情報を受信した場合には、それ以降、その状態に留まる期間は、前記操作表示手段による設定値情報と前記睡眠状態検出手段からの操作情報に対して所定の関数関係を有する設定値情報に基づいて前記機器の遠隔操作を実行し、前記クライアントが目覚めた時又は前記生体情報が受信できなくなった時には、前記操作表示手段による設定値情報に戻すことを特徴とする請求項７又は８に記載の機器の遠隔操作システム。
【請求項１１】
前記機器と前記リモコン手段との通信が確保可能に配置されたリモコン格納ソケット手段を備えたとことを特徴とする請求項１乃至１０のいずれかに記載の機器の遠隔操作システム。
【請求項１２】
前記リモコン格納ソケット手段は、前記外部センサ手段との有線通信を可能とする接点手段を備えたことを特徴とする請求項１１に記載の機器の遠隔操作システム。
【発明の詳細な説明】
【技術分野】
【０００１】
本発明は、遠隔操作対象の機器と、この機器に対する操作表示手段を有するリモコン手段と、前記機器に外部情報を渡して操作する外部センサ手段とよりなる機器の遠隔操作システムに関する。
【背景技術】
【０００２】
遠隔操作対象の空気調節装置と、この装置を遠隔操作するリモコンと、この装置にユーザの生体情報を渡して操作する生体計測装置よりなる機器の遠隔操作システムが特許文献１に開示されている。
【０００３】
【特許文献１】特開２００３−２４０３２０号公報「空気調節システムおよび安眠装置」
【０００４】
図９は従来の機器の遠隔操作システムの基本構成を示す機能ブロック図である。１は遠隔操作対象機器であり、具体的にはクライアントが使用するエアコンの温度調節、テレビ・ステレオの音量調節、照明器具等であり、機器制御手段１１及び外部との通信手段１２を有する。
【０００５】
２はクライアントが遠隔操作を行うリモコン手段である。２１はリモコン制御手段、２２はこれに接続される操作表示手段、２３は同じくリモコン制御手段２１に接続される信号処理手段であり、ＣＰＵとメモリを有する。
【０００６】
２４は通信インターフェース手段であり、信号処理手段２３に接続されると共に遠隔操作対象機器１との遠隔通信（赤外線、電波等）をインターフェースする。この通信インターフェース手段は、受信部、復調部、デコード部、エンコード部、変調部、送信部で構成されている。
【０００７】
３は外部センサ手段であり、この手段で検出されるクライアントの使用する機器１の温度、湿度等の環境情報やクライアントの生体情報は、リモコン手段２を経由せずに直接遠隔操作対象機器１の通信手段１２に渡されている。
【発明の開示】
【発明が解決しようとする課題】
【０００８】
従来構成による機器の遠隔操作システムでは次のような問題がある。
（１）リモコン手段２は、操作表示手段２２でマニュアル設定された設定値だけを遠隔操作対象機器１に送信する機能のみを備えており、温度、湿度等の環境情報や生体情報は別の通信により直接遠隔操作対象機器に与えられるので、遠隔操作対象機器１は個々にそれらの情報を受信して制御に反映させるための専用の受信回路、制御回路を必要とする。
【０００９】
（２）温度、湿度等の環境情報や生体情報を送信してくる外部センサ手段３及び遠隔操作対象１のパラメータや動作モードを設定するためのキーボード等の操作部を遠隔操作対象機器側に用意することは難しい。エアコンの場合には、天井近くに設置されるため、それらのキーボードをエアコンに取り付けても、手が届かず操作できない。
【００１０】
（３）エアコンの温度調節、テレビ・ステレオの音量調節、照明器具の照度調節等のリモコン手段による操作は、それらを利用している人が起きている時にしか行うことができない。就寝時、眠りに入っている時にはリモコン手段を操作することはできない。
【００１１】
（４）快適な睡眠を得るためのエアコンの温度調節方法としては、現状ではプログラムやタイマーによって設定値を変更している。そのため、就寝者の実際の睡眠状態、睡眠段階とは無関係に設定値が変更されているので、快適な睡眠を得る操作ができない。
【００１２】
従って本発明が解決しようとする課題は、遠隔操作対象機器の設定に関係する情報をリモコン手段に集中させて一元管理を可能とした機器の遠隔操作システムを実現することにある。
【課題を解決するための手段】
【００１３】
このような課題を達成するために、本発明の構成は次の通りである。
（１）  遠隔操作対象の機器と、この機器に対する操作表示手段を有するリモコン手段と、前記機器に外部情報を渡して操作する外部センサ手段とよりなる機器の遠隔操作システムにおいて、
前記リモコン手段は、前記外部センサ手段と通信して前記外部情報を取得する外部センサインターフェース手段を備えたことを特徴とする機器の遠隔操作システム。
【００１４】
（２）前記リモコン手段は、前記操作表示手段による設定値情報と前記外部センサインターフェース手段からの操作情報を統合する統合制御手段を備えたことを特徴とする（１）に記載の機器の遠隔操作システム。
【００１５】
（３）前記統合制御手段は、前記操作表示手段による設定値情報を前記外部センサインターフェース手段からの操作情報により変更補正することを特徴とする（２）に記載の機器の遠隔操作システム。    
【００１６】
（４）前記統合制御手段は、前記外部センサインターフェース手段を介して前記操作表示手段による設定値情報を前記外部センサ手段に送信することを特徴とする（２）又は（３）に記載の機器の遠隔操作システム。
【００１７】
（５）前記統合制御手段は、前記外部センサインターフェース手段からの操作情報が特定状態に達した場合には、それ以降、その状態に留まる期間は、前記操作表示手段による設定値情報とは無関係に前記操作情報に基づいて前記機器の遠隔操作を実行し、前記特定状態を抜け出した時には前記操作表示手段による設定値情報に戻すことを特徴とする（２）乃至（４）のいずれかに記載の機器の遠隔操作システム。
【００１８】
（６）前記統合制御手段は、前記外部センサインターフェース手段からの操作情報が特定状態に達した場合には、それ以降、その状態に留まる期間は、前記操作表示手段による設定値情報と所定の関数関係を有する設定値情報に基づいて前記機器の遠隔操作を実行し、前記特定状態を抜け出した時には前記操作表示手段による設定値情報に戻すことを特徴とする（２）乃至（４）のいずれかに記載の機器の遠隔操作システム。
【００１９】
（７）前記外部センサ手段は、前記機器が設置されている環境情報又は前記機器を使用するクライアントの生体情報の少なくともいずれかを検出することを特徴とする（１）乃至（６）のいずれかに記載の機器の遠隔操作システム。
【００２０】
（８）前記外部センサインターフェース手段は、前記生体情報に基づいて前記クライアントの睡眠状態を推定する睡眠状態検出手段を備えることを特徴とする（７）に記載の機器の遠隔操作システム。
【００２１】
（９）前記統合制御手段は、前記外部センサ手段より前記生体情報を受信した場合には、それ以降、その状態に留まる期間は、前記操作表示手段による設定値情報とは無関係に前記睡眠状態検出手段からの操作情報に基づいて前記機器の遠隔操作を実行し、前記クライアントが目覚めた時又は前記生体情報が受信できなくなった時には、前記操作表示手段による設定値情報に戻すことを特徴とする（７）又は（８）に記載の機器の遠隔操作システム。
【００２２】
（１０）前記統合制御手段は、前記外部センサ手段より前記生体情報を受信した場合には、それ以降、その状態に留まる期間は、前記操作表示手段による設定値情報と前記睡眠状態検出手段からの操作情報に対して所定の関数関係を有する設定値情報に基づいて前記機器の遠隔操作を実行し、前記クライアントが目覚めた時又は前記生体情報が受信できなくなった時には、前記操作表示手段による設定値情報に戻すことを特徴とする（７）又は（８）に記載の機器の遠隔操作システム。
【００２３】
（１１）前記機器と前記リモコン手段との通信が確保可能に配置されたリモコン格納ソケット手段を備えたとことを特徴とする（１）乃至（１０）のいずれかに記載の機器の遠隔操作システム。
【００２４】
（１２）前記リモコン格納ソケット手段は、前記外部センサ手段との有線通信を可能とする接点手段を備えたことを特徴とする（１１）に記載の機器の遠隔操作システム。
【発明の効果】
【００２５】
以上説明したことから明らかなように、本発明によれば次のような効果がある。
（１）遠隔操作対象機器の設定値に関係する情報をリモコン手段に集中させた一元管理が可能となった。従来システムでは、外部センサ手段、遠隔操作対象機器間の通信機能と設定値の変更・補正機能を持たせるためには、遠隔操作対象機器本体を変更する場合には取り外し作業を必要とする。本発明によれば、リモコン手段変更の場合にはリモコン手段のみを交換するだけでよいので機能追加が容易である。これまでに設置されている操作対象機器本体を取り替えずに、リモコン手段だけを交換（新規購入）すればよい。
【００２６】
（２）就寝時にも、外部センサ手段からの生体情報に基づいてリモコン手段から遠隔操作対象機器への設定値情報の送信が可能となった。この機能により、就寝時には、マニュアル設定値情報を基にクライアントの睡眠状態に対応して操作対象機器に送信する設定値情報を自動的に調節して最適な睡眠環境を提供することが可能である。
【００２７】
（３）更に．マニュアルで設定された設定値情報が通常の好ましい値から大きくずれていたとしても、就寝している間だけは、マニュアル設定値情報とは独立に、リモコン手段が自動的に理想的な設定値情報を演算または選択して操作対象機器にその設定値情報を送信することが可能であり、最適設定値に対してマニュアル設定値が大きくずれていても、そのずれによる影響を受けないようにすることができる。
【００２８】
（４）同一のリモコン手段で、遠隔操作対象機器とは別に、外部センサ手段内の生体情報検出手段及びリモコン手段内に備えられた睡眠状態検出装置手段にパラメータ設定値や動作モード設定値を送信することができるので、システムのコストアップを抑えることが可能である。
【００２９】
（５）リモコン格納ソケット手段を使用すると、リモコン手段の送信先を遠隔操作対象機器に合わせてセットすることが簡単である。リモコン格納ソケット手段を一旦セットすれば、それ以降はソケットに挿入するだけで一々リモコン手段の送信先を遠隔操作対象機器に合わせる必要がないので便利である。
【００３０】
（６）リモコン格納ソケット手段内部に通信信号授受用接点手段を設けることにより、リモコン手段と外部センサ手段とを自動的に有線接続させることができ、便利である。
【発明を実施するための最良の形態】
【００３１】
以下本発明を、図面を用いて詳細に説明する。図１は本発明を適用した機器の遠隔操作システムの一実施例を示す機能ブロック図である。図９で説明した従来システムと同一要素には同一符号を付し、説明を省略する。以下、本発明の特徴部につき説明する。
【００３２】
図１において、２００は本発明が適用されたリモコン手段である。点線のブロックで示した統合制御手段２０１、操作表示手段２０２、外部センサインターフェース手段２０５が従来システムのリモコン手段と異なる新規構成部分である。信号処理手段２０３及び通信インターフェース手段２０４は、図９で説明した信号処理手段２３及び通信インターフェース手段２４と同一構成部分である。
【００３３】
外部センサインターフェース手段２０５は、信号処理手段２０６及び通信インターフェース手段２０７よりなり、外部センサ手段３と通信し環境情報や生体情報をリモコン手段側に取得すると共に、リモコン手段２００側よりパラメータや動作モードの手動設定を可能とする。
【００３４】
信号処理手段２０６は統合制御手段２０１に接続され、ＣＰＵとメモリを有する。通信インターフェース手段２０７は、信号処理手段２０６に接続されると共に外部センサ手段３との通信（赤外線、電波、有線等）をインターフェースする。この通信インターフェース手段は、受信部、復調部、デコード部、エンコード部、変調部、送信部で構成されている。
【００３５】
操作表示手段２０２及び統合制御手段２０１から遠隔操作対象機器１側への動作は、従来システムと同一動作なので説明省略し、外部センサインターフェース手段２０５の動作を説明する。外部のセンサ手段３からの情報は、通信インターフェース手段２０７の受信部、復調部、デコ−ド部を経由して信号処理手段２０６によってメモリ部に書き込まれる。
【００３６】
統合制御手段２０１は、メモリ部に書き込まれた情報を読出し、外部のセンサ手段３からの情報が特定状態に到達したかどうかを判断する。特定状態に到達しなければ、操作表示手段２０２においてマニュアルで設定された値に基づいて遠隔操作対象機器１を制御する。
【００３７】
特定状態に到達した場合には、それ以降、直近のマニュアル設定値情報に対して外部からの情報に基づいて演算を施した値を遠隔操作対象機器１に送信する。又は、マニュアルの設定値情報とは無関係に、外部からの情報に対応してメモリ部に内蔵されている理想的な設定値情報または標準パターン情報を遠隔操作対象機器１に送信する。特定状態から抜け出した場合には、それ以降、マニュアルの設定値情報に基づいて遠隔操作対象機器１を制御する。
【００３８】
操作表示手段２０２から入力された外部センサ手段３に対するパラメータ設定値や動作モード設定値は、統合制御手段２０１、信号処理手段２０６によってメモリ部に書き込まれる。メモリ部に書き込まれた設定値情報は信号処理手段２０６によって読み出され、通信インターフェース手段のエンコード部、変調部、送信部を経由して、外部センサ手段３に送信される。
【００３９】
図２は．本発明の他の実施形態を示す機能ブロック図である。この実施形態の特徴は、外部センサ手段３がクライアントの生体情報（心拍、呼吸、いびき、体動等）を検出して送信すると共に、外部センサインターフェース手段２０５内に送信された生体情報に基づいてクライアントの睡眠状態を推定する睡眠状態検出手段を設けた構成にある。
【００４０】
外部センサ手段３において、３１はエアマットレス、３２はこのエアマットレス上で就寝するクライアントである。３３は無拘束型の生体情報検出手段であり、エアマットレスの内圧の微小変動をチューブ手段を介して導き、高感度の圧力センサにより生体情報を抽出する。
３４は、この生体情報をリモコン手段２００の外部センサインターフェース手段２０５に無線送信する送信部である。
【００４１】
外部センサインターフェース手段２０５は、図示されていないが、図１で説明した信号処理手段２０６の基本機能有する。２０８は受信部であり、外部センサ手段３の送信部３４から無線送信される生体情報を受信する。
【００４２】
受信された生体情報から、フィルタ手段２０９により特定の周波数帯域情報を抽出し、睡眠状態検出手段２１０により複数段階の睡眠段階信号、又は連続的な睡眠深さ信号を演算により推定して統合制御手段２０１に渡す。
【００４３】
無拘束型の生体情報検出手段３３、フィルタ手段２０９、睡眠状態検出手段２１０の詳細構成並びに動作については、特開２００３−３３９６７４号「睡眠段階推定方法及びその方法を用いた装置」に開示されているので、ここではその細部の説明を省略する。
【００４４】
操作表示手段２０２及び統合制御手段２０１から遠隔操作対象機器１側への動作は従来システムと同一動作なので説明省略し、外部センサインターフェース手段２０５及び統合制御手段２０１の動作を説明する。
【００４５】
統合制御手段２０１は、睡眠状態検出手段２１０により推定演算される睡眠状態または睡眠段階を監視し、クライアントが眠りに入ったかどうかを判断する。眠りに入らなければ、操作表示手段２０２においてマニュアルで設定されたマニュアル設定値情報に基づいて遠隔操作対象機器１を制御する。
【００４６】
眠りに入った場合には、それ以降、直近のマニュアル設定値情報に対して睡眠状態または睡眠段階に基づいて演算を施した値を遠隔操作対象機器１に送信する。又は、マニュアル設定値情報とは無関係に、睡眠状態または睡眠段階に対応してメモリ部に内蔵されている理想的な設定値情報または標準パターン情報を遠隔操作対象機器１に送信する。眠りから目覚めた場合には、それ以降、マニュアル設定値情報に基づいて遠隔操作対象機器１を制御する。
【００４７】
操作表示手段２０２から入力された睡眠状態検出手段２１０のパラメータ設定値情報や動作モード設定値情報は、統合制御手段２０１によって睡眠状態検出手段２１０に書き込まれる。
【００４８】
この実施形態によれば、就寝しているクライアントが快適な睡眠を得られるように、就寝時には、リモコン手段２００のマニュアル設定値に対して、クライアントの睡眠状態を基にして算出される係数を掛けて、遠隔操作対象機器１に送信する設定値情報を変更することができる。
【００４９】
この場合、マニュアル設定値は変更しないで保存しておき、クライアントが目覚めた後には、マニュアル設定値による遠隔操作対象機器の制御に戻す。マニュアル設定値情報は、その設定者が設定時の温度、湿度等の個人的な感じ方によって決定されてしまう。そのため、長時間的に観て、好ましい設定値情報とは異なる場合が多い。
【００５０】
設定者が起きている間は設定値情報に従って運転するが、就寝時には、設定者（＝就寝者）が就寝前に設定したマニュアル設定値とは無関係に、最良の睡眠を取れるように、就寝者の睡眠状態に応じて送信する設定値情報を変更し、目覚めた後の設定値情報は、就寝前の、又は直近のマニュアル設定値に戻すことでストレスのない快適な制御を実現することができる。
【００５１】
更にこの実施形態によれば、これまでに設置されている遠隔操作対象機器本体を取り替えずに、リモコン手段だけを変更（新規購入）して、クライアントが快適な睡眠を得られるようにすると同時に、消費エネルギーを最小にするように、クライアントの睡眠状態に応じてマニュアル設定値を基に、またはマニュアル設定値とは無関係に、遠隔操作対象機器に送信する設定値情報を変更できる環境を安価に実現することが可能となる。
【００５２】
図３は、統合制御手段２０１及び操作表示手段２０２の構成を示す機能ブロック図である。統合制御手段２０１において、２０１ａはリモコン制御部であり、従来システムにおけるリモコン制御手段２１と同一機能を有する。２０１ｂは外部センサ制御部であり、外部センサインターフェース手段２０５と通信する。２０１ｃは統合制御部であり、リモコン制御部２０１ａ及び外部センサ制御部２０１ｂ並びに操作表示手段２０２と通信し、３者を統合する制御を行う。
【００５３】
操作表示手段２０２において、２０２ａはリモコン操作表示部であり、従来システムにおける操作表示手段２２と同一機能を有する。２０２ｂは外部センサ操作表示部であり、外部センサ手段３に関する操作及び表示を行う。
【００５４】
図４は、図２の実施形態における統合制御手段２０１の信号処理手順の例を示すフローチャートである。判断ステップＳ１では、生体情報の受信信号の有無によって分岐する。生体情報に関する受信信号が有る場合には判断ステップＳ２に、受信信号が無い場合にはステップＳ３の通常運転モードに分岐する。
【００５５】
受信信号が無い場合のステップＳ３では、通常運転（＝マニュアル設定値に基づいて遠隔操作対象機器を制御する）が行われ、マニュアル設定値格納レジスタの内容が表示レジスタに格納されて、操作表示手段に表示される。
【００５６】
更に、マニュアル設定値格納レジスタの内容が送信データ格納レジスタに格納され、送信データに変更が発生した場合には、新しい送信データがメモリ部に書き込まれて遠隔操作対象機器１に送信される。
【００５７】
生体情報に関する受信信号が有る場合の判断ステップＳ２では、クライアントが眠りに入っているかどうかを判断して分岐する。眠りに入らず目覚めている場合には、ステップＳ３の通常運転モードに進む。眠りに入っている場合には、判断ステップＳ４に進み、動作タイプが独立タイプかどうかを判断して分岐する。
【００５８】
独立タイプの場合にはステップＳ５の独立タイプ運転モードに、従属タイプの場合にはステップＳ６の従属タイプ運転モードに分岐する。どちらの運転モードにするかは、あらかじめ操作表示手段で設定しておく。
【００５９】
ステップＳ５の独立タイプの場合には、マニュアル設定値格納レジスタの内容が表示レジスタに格納されて、操作表示手段に表示される。又、マニュアル設定値とは無関係に、睡眠状態に対応して、睡眠状態検出手段内の記憶部に格納されている理想的な設定値情報又は標準パターン情報を独立タイプ設定値格納レジスタに書き込み、その独立タイプ設定値格納レジスタの内容が送信データ格納レジスタに格納される。新しく格納された送信データがそれまでに格納されていた送信データと異なる場合には、新しい送信データがメモリ部に書き込まれて遠隔操作対象機器１に送信される。
【００６０】
ステップＳ６の従属タイプの場合には、マニュアル設定値格納レジスタの内容が表示レジスタに格納されて、操作表示手段に表示される。又、直近のマニュアル設定値に対して、睡眠状態に基づいて演算を施した値を従属タイプ設定値格納レジスタに書き込み、その従属タイプ設定値格納レジスタの内容が送信データ格納レジスタに格納される。新しく格納された送信データがそれまでに格納されていた送信データと異なる場合には、新しい送信データがメモリ部に書き込まれて遠隔操作対象機器１に送信される。
【００６１】
図５は．従属タイプの場合の演算例を示すテーブルである。直近のマニュアル設定値Ｔ（エアコンの温度）に対して、睡眠状態（６段階：Ｗ，Ｒ，１，２，３，４）に基づいて演算を施した１Ｔ〜０．５Ｔを演算する。
【００６２】
図６は、通常運転モード、従属タイプ運転モード及び独立タイプ運転モード時の睡眠段階と設定温度との対応を示すタイムチャートである。一点鎖線が通常運転モード、実線が従属タイプ運転モードであり、図５のテーブルに従い睡眠段階に応じて比率演算した設定温度で制御される。
【００６３】
点線が独立タイプ運転モード時の睡眠段階と設定温度との対応関係を示す。このモードでは、マニュアル設定値情報とは無関係に、睡眠状態に対応して、睡眠状態検出手段内の記憶部に格納されている理想的な設定値または標準パターン情報により温度制御される。
【００６４】
リモコン手段２００と遠隔操作対象機器１との通信が赤外線手段である場合には、クライアントの操作時以外にはリモコン手段２００の送信先をリモコン操作対象機器１に合わせてセットする必要がある。
【００６５】
図７は、リモコン格納ソケット手段３００の斜視図である。リモコン格納ソケット手段３００は、挿入セットされるリモコン手段２００の送信先をリモコン操作対象機器１に合わせてセットできるように挿入角度がレバー３０１とロック機構で調節可能な構造となっている。従って、リモコン格納ソケット手段は一旦セットすれば、それ以降は一々リモコンの送信先をリモコン操作対象機器に合わせる必要がない。
【００６６】
リモコン格納ソケット手段の取り付け方法としては、台の上に置く、台との間を両面テープで貼り付けて固定する、壁に釘で留めて固定する、壁との間を両面テープで貼り付けて固定する等、種々の固定方法が可能である。
【００６７】
図８（Ａ）及び（Ｂ）は、リモコン格納ソケット手段底部に設けた通信信号授受用接点を説明する平面図及び断面イメージ図である。接点３０２及び３０３は、リモコン格納ソケット手段の底部を貫通して固定される。これら接点の外部側は有線手段で外部センサ手段３に接続され、内部側は突起状の形状とされ、リモコン手段２００の底部に形成された接点２１１及び２１２に確実に接触する構造とされている。
【００６８】
以上説明した本発明リモコン手段は、手持ちできる可搬形（可動形）を想定したものであるが、同一機能を持った設置形（固定形）リモコンにも応用することができる。この場合には、リモコン手段と遠隔操作対象機器との間の通信は無線でも有線でも可能である。
【図面の簡単な説明】
【００６９】
【図１】本発明を適用した機器の遠隔操作システムの一実施例を示す機能ブロック図である。
【図２】本発明の他の実施形態を示す機能ブロック図である。
【図３】統合制御手段及び操作表示手段の構成を示す機能ブロック図である。
【図４】図２の実施形態における統合制御手段の信号処理手順の例を示すフローチャートである。
【図５】従属タイプの場合の演算例を示すテーブルである。
【図６】通常運転モード、従属タイプ運転モード及び独立タイプ運転モード時の睡眠段階と設定温度との対応を示すタイムチャートである。
【図７】リモコン格納ソケット手段の斜視図である。
【図８】リモコン格納ソケット手段底部に設けた通信信号授受用接点を説明する平面図及び断面イメージ図である。
【図９】従来の機器の遠隔操作システムの基本構成を示す機能ブロック図である。
【符号の説明】
【００７０】
１  遠隔操作対象機器
１１  機器制御手段
１２  通信手段
３  外部センサ手段
２００  リモコン手段
２０１  統合制御手段
２０２  操作表示手段
２０３、２０６  信号処理手段
２０４、２０７  通信インターフェース手段
２０５  外部センサインターフェース手段
【図１】
2006121254.tif 000003
【図２】
2006121254.tif 000004
【図３】
2006121254.tif 000005
【図４】
2006121254.tif 000006
【図５】
2006121254.tif 000007
【図６】
2006121254.tif 000008
【図７】
2006121254.tif 000009
【図８】
2006121254.tif 000010
【図９】
2006121254.tif 000011